(57)【要約】【課題】感度の低下等を抑制しつつ、試料に特定のカチオンを優位に付加させる。【解決手段】分析方法は、試料と、液体マトリックスを構成する物質を含むマトリックス試薬と、１以上のハロゲン原子を含むカルボン酸またはその塩を備えるマトリックス添加剤とを混合して質量分析用試料を調製することと、質量分析用試料にレーザー光を照射してイオン化を行うことと、イオン化により生じたイオンまたは上記イオンを解離したイオンを質量分離して検出することと、を備える。【選択図】図６
2019211441.tif 000002
【特許請求の範囲】
【請求項１】
試料と、液体マトリックスを構成する物質を含むマトリックス試薬と、１以上のハロゲン原子を含むカルボン酸またはその塩を備えるマトリックス添加剤とを混合して質量分析用試料を調製することと、
前記質量分析用試料にレーザー光を照射してイオン化を行うことと、
前記イオン化により生じたイオンまたは前記イオンを解離したイオンを質量分離して検出することと、
を備える分析方法。
【請求項２】
請求項１に記載の分析方法において、
前記ハロゲン原子は、フッ素原子である分析方法。
【請求項３】
請求項１または２に記載の分析方法において、
前記マトリックス添加剤は、トリフルオロ酢酸塩である分析方法。
【請求項４】
請求項１から３までのいずれか一項に記載の分析方法において、
前記マトリックス添加剤は、ナトリウム塩またはカリウム塩である分析方法。
【請求項５】
請求項１から４までのいずれか一項に記載の分析方法において、
前記マトリックス試薬は、２，４，６−トリヒドロキシアセトフェノンまたはクマル酸、および、アミンまたはその塩を含む分析方法。
【請求項６】
請求項５に記載の分析方法において、
前記アミンは、１，１，３，３−テトラメチルグアニジンまたは３−アミノキノリンである分析方法。
【請求項７】
請求項１から６までのいずれか一項に記載の分析方法において、
前記試料は、糖、糖鎖、および糖または糖鎖の誘導体のうち少なくとも一つを含む分子を備える分析方法。
【請求項８】
１以上のハロゲン原子を含むカルボン酸またはその塩を備え、
液体マトリックスに添加するためのマトリックス添加剤。
【請求項９】
請求項８に記載のマトリックス添加剤において、
前記ハロゲン原子は、フッ素原子であるマトリックス添加剤。
【請求項１０】
請求項８または９に記載のマトリックス添加剤において、
前記カルボン酸は、トリフルオロ酢酸であるマトリックス添加剤。
【請求項１１】
請求項８から１０までのいずれか一項に記載のマトリックス添加剤において、
前記カルボン酸の塩は、ナトリウム塩またはカリウム塩であるマトリックス添加剤。
【請求項１２】
請求項８から１１までのいずれか一項に記載のマトリックス添加剤を備える質量分析用キット。
【請求項１３】
請求項８から１０までのいずれか一項に記載のマトリックス添加剤を備え、
前記マトリックス添加剤は、糖鎖および糖鎖誘導体のうち少なくとも一つを含む分子を備える試料の質量分析に用いられる糖鎖類分析用マトリックス添加剤。
【請求項１４】
請求項１３に記載の糖鎖類分析用マトリックス添加剤を備える糖鎖類質量分析用キット。
【発明の詳細な説明】
【技術分野】
【０００１】
本発明は、分析方法、マトリックス添加剤、質量分析用キット、糖鎖類分析用マトリックス添加剤および糖鎖類質量分析用キットに関する。
【背景技術】
【０００２】
質量分析において、試料をイオン化して得られたイオンは、プロトン、カチオン（以下では、カチオンにプロトンは含まれないものとする）、アニオンの付加体、またはプロトンが脱離した脱プロトン化体等として検出される可能性がある。しかし、マススペクトルの解析においては、付加するイオンの種類が少ない方がピークの数が少なく解析がしやすいため、多くの場合、プロトン等の特定のイオンが優位に付加した付加体が生成されるようにイオン化が行われる。
【０００３】
例えば、マトリックス支援レーザー脱離イオン化（ＭＡＬＤＩ）により糖鎖をイオン化して質量分析を行う場合には、糖鎖と、ナトリウムやカリウム等との親和性の高さを利用し、ナトリウムやカリウム等の特定のカチオンが優位に付加したカチオン付加体を検出することが行われている。
【０００４】
糖鎖を含む試料とマトリックスとを含む質量分析用試料の調製において、マトリックス添加剤としてこれらのカチオンを添加しなくても、調製の途中に微量のカチオンが混入する等の理由により、イオン化によりカチオン付加体を生成することができる。しかし、糖鎖の種類や試料の調製方法によってはナトリウム、カリウム、またはその他のカチオンの付加体が同時に観測される場合もある。これらはマススペクトルを複雑化させ、解析の妨げになるので、一つのイオン種に統一する方が好ましい。このような場合に、固体マトリックスに対して、例えばＮａＣｌのようなナトリウム塩等を含むカチオン化剤を加える方法が知られている。
【０００５】
一方で、糖鎖のほか様々な分子をイオン化するのに、固体マトリックスではなく液体マトリックスを用いる方法も提案されている。液体マトリックスは固体マトリックスに比べて均一性が高く、特に親水性の糖鎖についてはこれを感度良くイオン化するものが多い。液体マトリックスにマトリックス添加剤を加えて、特定のアニオンが優位に付加したイオンを生成する方法が報告されている（特許文献１参照）。
【先行技術文献】
【特許文献】
【０００６】
【特許文献１】特開２０１３−２０５２２１号公報
【発明の概要】
【発明が解決しようとする課題】
【０００７】
液体マトリックスを用いて質量分析用試料を調製する場合に、特定のカチオンが優位に付加したイオンを生成する方法は提案されていない。固体マトリックスについて行われるように、ＮａＣｌを液体マトリックスに加えると、感度が低下したり、ナトリウム由来の夾雑物に対応するピークが生じ、糖鎖のイオン化を妨げる問題があった。
【課題を解決するための手段】
【０００８】
本発明の好ましい実施形態による分析方法は、試料と、液体マトリックスを構成する物質を含むマトリックス試薬と、１以上のハロゲン原子を含むカルボン酸またはその塩を備えるマトリックス添加剤とを混合して質量分析用試料を調製することと、前記質量分析用試料にレーザー光を照射してイオン化を行うことと、前記イオン化により生じたイオンまたは前記イオンを解離したイオンを質量分離して検出することと、を備える。
さらに好ましい実施形態では、前記ハロゲン原子は、フッ素原子である。
さらに好ましい実施形態では、前記マトリックス添加剤は、トリフルオロ酢酸塩である。
さらに好ましい実施形態では、前記マトリックス添加剤は、ナトリウム塩またはカリウム塩である。
さらに好ましい実施形態では、前記マトリックス試薬は、２，４，６−トリヒドロキシアセトフェノンまたはクマル酸、および、アミンまたはその塩を含む。
さらに好ましい実施形態では、前記アミンは、１，１，３，３−テトラメチルグアニジンまたは３−アミノキノリンである。
さらに好ましい実施形態では、前記試料は、糖、糖鎖、および糖または糖鎖の誘導体のうち少なくとも一つを含む分子を備える。
本発明の好ましい実施形態によるマトリックス添加剤は、１以上のハロゲン原子を含むカルボン酸またはその塩を備え、液体マトリックスに添加するためのものである。
さらに好ましい実施形態では、前記ハロゲン原子は、フッ素原子である。
さらに好ましい実施形態では、前記カルボン酸は、トリフルオロ酢酸である。
さらに好ましい実施形態では、前記カルボン酸の塩は、ナトリウム塩またはカリウム塩である。
本発明の好ましい実施形態による質量分析用キットは、上述のマトリックス添加剤を備える。
本発明の好ましい実施形態による糖鎖類分析用マトリックス添加剤は、上述のマトリックス添加剤を備え、前記マトリックス添加剤は、糖鎖および糖鎖誘導体のうち少なくとも一つを含む分子を備える試料の質量分析に用いられる。
本発明の好ましい実施形態による糖鎖類質量分析用キットは、上述の糖鎖類分析用マトリックス添加剤を備える。
【発明の効果】
【０００９】
本発明によれば、液体マトリックスを用いて、特定のカチオンが優位に付加されたイオンが生成するように試料のイオン化を行う場合に、感度の低下や、夾雑物による悪影響を抑制し、より精度の高い分析を行うことができる。
【図面の簡単な説明】
【００１０】
【図１】図１は、一実施形態の分析方法の流れを示すフローチャートである。
【図２】図２（Ａ）は、質量分析用キットの一例を示す概念図であり、図２（Ｂ）は、試料プレートの試料配置部位を示す概念図である。
【図３】図３は、Ｇ３ＣＡをマトリックスとし、各種のマトリックス添加剤を用いて、またはマトリックス添加剤を用いないで質量分析用試料を調製した場合に得られたマススペクトルである。
【図４】図４（Ａ）は、Ｇ３ＣＡをマトリックス、ＮａＴＦＡをマトリックス添加剤とし、各量のＮＡ４型糖鎖を含む質量分析用試料を調製した場合に得られたマススペクトルであり、図４（Ｂ）は、Ｇ３ＣＡをマトリックス、ＮａＣｌをマトリックス添加剤とし、各量のＮＡ４型糖鎖を含む質量分析用試料を調製した場合に得られたマススペクトルである。
【図５】図５は、ＧＴＨＡＰをマトリックスとし、各種のマトリックス添加剤を用いて、またはマトリックス添加剤を用いないで質量分析用試料を調製した場合に得られたマススペクトルである。
【図６】図６は、３ＡＱ／ＣＡをマトリックスとし、ＮａＴＦＡを含むマトリックス添加剤を用いて、またはマトリックス添加剤を用いないで質量分析用試料を調製した場合に得られたマススペクトルである。
【発明を実施するための形態】
【００１１】
以下、図を参照して本発明を実施するための形態について説明する。
【００１２】
図１は、本実施形態の分析方法の流れを示すフローチャートである。ステップＳ１００１において、試料と、液体マトリックスを構成するマトリックス試薬と、１以上のハロゲン原子を含むカルボン酸またはその塩を備えるマトリックス添加剤とが用意される。
【００１３】
（マトリックス添加剤）
本実施形態の分析方法で用いられるマトリックス添加剤は、液体マトリックスに添加するための添加剤である。マトリックス添加剤に含まれるカルボン酸またはその塩は、入手の容易さ等の観点から、フッ素原子を含むものが好ましい。マトリックス添加剤に含まれるカルボン酸は、トリフルオロ酢酸（以下、ＴＦＡと呼ぶ）が好ましい。液体マトリックスとＴＦＡイオンとを含む質量分析用試料を用いて質量分析を行うと、感度の低下や夾雑物による悪影響が抑制された測定データを得ることができる。
【００１４】
マトリックス添加剤に含まれるカルボン酸の塩は、入手の容易さ等の観点から、ナトリウム塩またはカリウム塩が好ましい。さらに、これらの塩は、糖鎖や糖鎖誘導体等の糖関連分子（以下では、糖鎖および糖鎖誘導体を糖鎖類と呼び、糖、糖鎖、糖若しくは糖鎖の誘導体、またはこれらを含む分子を糖関連分子と呼ぶ）に対して親和性が高いため、試料が糖関連分子である場合に、これらのイオンが優位に付加されたイオンを特に生成しやすいので好適である。
【００１５】
マトリックス添加剤に含まれるカルボン酸の塩は、トリフルオロ酢酸ナトリウム（以下、ＮａＴＦＡと呼ぶ）がより好ましい。液体マトリックスにＮａＴＦＡを含むマトリックス添加剤を加えて質量分析用試料を調製すると、ナトリウムが優位に付加したイオンを生成することができ、さらに感度の低下や夾雑物による悪影響が抑制された測定データを得ることができる。
なお、トリフルオロ酢酸等のカルボン酸を含む溶液と、ナトリウムイオン等のカチオンを含む溶液とを別々に加えてもよい。カチオンを含む溶液としては、水酸化ナトリウム溶液等を用いることができる。
【００１６】
（マトリックス試薬）
液体マトリックスを構成するマトリックス試薬は、質量分析用試料において液体マトリックスの少なくとも一部を構成する分子を含む。液体マトリックスとは、通常のMALDI質量分析計のイオン源である１０−１Ｐａ以下等の高真空条件下でも固化・気化せずに液体を維持する特徴を持ったマトリックスのことで、多くの場合は常温融解塩に分類される。マトリックス試薬は、アミンまたはその塩、および、有機物質またはその塩を含み、アミンがプロトンの受容体として働き、有機物質がプロトンの供与体となるものが好ましい。例えば、当該有機物質は酸性基を含有することが好ましい。上記アミンおよび有機物質のいずれかは、紫外〜可視〜赤外領域等に対応する波長のレーザー光を吸収する。マトリックス試薬に含まれるアミンまたはその塩と、有機物質またはその塩とを溶媒中で混合し、適宜溶媒を蒸発させ、液体マトリックスを調整することができる。
なお、複数の液体マトリックスを混合して用いてもよい。
【００１７】
液体マトリックスを構成するアミンは、第１級アミンでは、窒素原子がＯＨ基で置換されていてもよい、メチル、エチル、ｎ−プロピル、イソプロピル、ｎ−ブチル、イソブチル、ｎ−ペンチル、イソペンチル、ｎ−ヘキシル、イソヘキシル、ｎ−ヘプチル、イソヘプチル、ｎ−オクチル、イソオクチル、ｎ−ノニル、イソノニル、ｎ−デシル、イソデシル、ｎ−ウンデシル、またはイソウンデシルの残基、あるいはフェニル残基と結合している第１級アミンを含むことが好ましい。
【００１８】
液体マトリックスを構成するアミンは、第２級または第３級アミンでは、窒素原子が、ＯＨ基で置換されていてもよい、メチル、エチル、ｎ−プロピル、イソプロピル、ｎ−ブチル、イソブチル、ｎ−ペンチル、イソペンチル、ｎ−ヘキシル、イソヘキシル、ｎ−ヘプチル、イソヘプチル、ｎ−オクチル、およびイソオクチルの残基、ならびにフェニル残基からなる群より選択される、同種でも異種でもよい、２または３個の残基と結合している第２級または第３級アミンを含むことが好ましい。
【００１９】
液体マトリックスを構成するアミンは、３−アミノキノリン、ピリジン、イミダゾール、またはＣ−若しくはＮ−アルキル化イミダゾール誘導体を含むことも好ましい。
【００２０】
液体マトリックスを構成するアミンは、１，１，３，３−テトラメチルグアニジン（ＴＭＧ）、ｎ−ブチルアミン（ＢＡ）、エチルアミン、Ｎ，Ｎ−ジエチルアミン（ＤＥＡ）、Ｎ，Ｎ−ジエチルアニリン、Ｎ，Ｎ−ジエチルメチルアミン、ジエチルベンゼンアミン、Ｎ，Ｎ−ジメチルアミン、トリエチルアミン、トリ−ｎ−ブチルアミン、トリ−ｎ−プロピルアミン、エタノールアミン、ポリエーテルテールドトリエチルアミン、ポリエステルテールドトリエチルアミン、ニトロフェノール、アニリン、２，４−ジニトロアニリン、２−ニトロフェニルオクチルエーテル、ピリジン、２−ピリジンプロパノール（２ＰＰ）、２−エチルピリジン（２ＥＰ）、２−アミノ−４−メチル−５−ニトロピリジン、３−アミノキノリン（３ＡＱ）、３−ヒドロキシピリジン、１−メチルイミダゾール、１−ブチル−３−メチルイミダゾール、１−（１−ヒドロキシプロピル）−３−メチルイミダゾール、１，３−ジメチルイミダゾール、１，５−ジアミノナフタレン、６−アザ−２−チオチミン、クマリン、６，７−ジヒドロキシクマリン、１，８−ジヒドロキシ−９［１０Ｈ］−アントラセノンおよびカルボリン類（ノルハルマン、ハルマン、ハルミン、ハルモル、ハルマリン、ハルマロールなど）からなる群から選択される少なくとも１つが好ましい。
【００２１】
液体マトリックスを構成するアミンは、１，１，３，３−テトラメチルグアニジン（ＴＭＧ）および３−アミノキノリン（３ＡＱ）の少なくとも一方がより好ましい。これらのアミンを含むマトリックス試薬を用いて調製された液体マトリックスにＮａＴＦＡを加えて質量分析用試料を調製すると、ナトリウムが優位に付加したイオンが得られ、さらに感度の低下や夾雑物による悪影響が抑制された測定データを得ることができる。
【００２２】
液体マトリックスを構成する有機物質は、ｐ−クマル酸（ｐ−ＣＡ）、α−シアノ−４−ヒドロキシケイ皮酸（４−ＣＨＣＡ）、α−シアノ−３−ヒドロキシケイ皮酸、２，５−ジヒドロキシ安息香酸（ＤＨＢ）若しくはその異性体、４−ヒドロキシ安息香酸、ｐ−ヒドロキシ安息香酸、ｐ−ヒドロキシフェニルピルビン酸、３−ヒドロキシピコリン酸、３，５−ジメソキシ−４−ヒドロキシケイ皮酸（シナピン酸）、４−ヒドロキシ−３−メソキシケイ皮酸（フェルラ酸）、カフェイン酸（３，４−ジヒドロキシケイ皮酸）、５−メソキシサリチル酸、２−（４−ヒドロキシフェニルアゾ）安息香酸（ＨＡＢＡ）、ニコチン酸、ピコリン酸、３−アミノピコリン酸、３−ヒドロキシピコリン酸、２−アミノ安息香酸、３−アミノ−４−ヒドロキシ安息香酸、６−アザ−２−チオチミン、２，４，６−トリヒドロキシアセトフェノン（ＴＨＡＰ）若しくはその水和物、１，４−ジヒドロ−２−ナフトエ酸、３−インドールアクリル酸、インドール−２−カルボン酸、チオグリコール酸、２−ヒドロキシ−５−メトキシ安息香酸若しくはその異性体、５−クロロ− ２−メルカプトベンゾチアゾール、トリフルオロメタンスルホネート、２，６− ジヒドロキシアセトフェノン、９Ｈ−ピリド［３ ，４−ｂ］インドール、ジスラノール、オサゾン類、２，５−ジヒドロキシアセトフェノン、１−ニトロカルバゾール、７−アミノ−４−メチルクマリン、８−アミノピレン−２，３，４−トリススルホン酸、２［２Ｅ−３−（４−ｔｅｒｔ−ブチル−フェニル）−２−メチルプロプ− ２−エニリデン］マロノニトリル（ＤＣＴＢ）および４−メトキシ−３−ヒドロキシケイ皮酸からなる群から選択される少なくとも一つが好ましい。
【００２３】
液体マトリックスを構成する有機物質は、ｐ−クマル酸（ｐ−ＣＡ）ならびに２，４，６−トリヒドロキシアセトフェノン（ＴＨＡＰ）およびその水和物の少なくとも一つがより好ましい。これらの有機物質を含むマトリックス試薬を用いて調製された液体マトリックスにＮａＴＦＡを加えて質量分析用試料を調製すると、ナトリウムが優位に付加したイオンが得られ、さらに感度の低下や夾雑物による悪影響が抑制された測定データを得ることができる。液体マトリックスを構成する有機物質は、ｐ−クマル酸（ｐ−ＣＡ）が、イオン化の際に硫酸化糖鎖からの硫酸基の離脱を防ぐことができるためにさらに好ましい。
【００２４】
液体マトリックスは、ＧＣＡ、Ｇ２ＣＡおよびＧ３ＣＡ等の１，１，３，３−テトラメチルグアニジン（ＴＭＧ）とｐ−クマル酸（ＣＡ）とを所定の割合で混合した混合物、ＧＴＨＡＰならびに３ＡＱ／ＣＡが好ましい。ＧＣＡは、モル換算で、ＣＡの量１に対しＴＭＧの量が０．５以上１．５未満の割合でＴＭＧおよびＣＡを含むものとする。Ｇ２ＣＡは、モル換算で、ＣＡの量１に対しＴＭＧの量が１．５以上２．５未満の割合でＴＭＧおよびＣＡを含むものとする。Ｇ３ＣＡは、モル換算で、ＣＡの量１に対しＴＭＧの量が２．５以上３．５未満の割合でＴＭＧおよびＣＡを含むものとする。ＧＴＨＡＰは、ＴＭＧと２，４，６−トリヒドロキシアセトフェノン（ＴＨＡＰ）とをモル比で１：０．５〜１：２、好ましくは１：１の割合で混合した液体マトリックスである。３ＡＱ／ＣＡは、ｐ−ＣＡと３−アミノキノリン（３ＡＱ）とをモル比で５：１〜２０：１の割合で混合した液体マトリックスである。これらの液体マトリックスにＮａＴＦＡを加えて質量分析用試料を調製すると、ナトリウムが優位に付加したイオンが得られ、さらに感度の低下や夾雑物による悪影響が抑制された測定データを得ることができる。
なお、ＧＣＡ、Ｇ２ＣＡおよびＧ３ＣＡの区別の方法は上記以外の割合に基づいてもよく、特に限定されない。また、ＧＣＡ、Ｇ２ＣＡおよびＧ３ＣＡ以外の、ＴＭＧとＣＡとの混合物を液体マトリックスとして用いてもよい。
【００２５】
（分析対象の試料）
本実施形態の分析方法において分析対象となる試料は、液体マトリックスを用いてイオン化を行うことができれば特に限定されない。分析対象となる試料は、糖、糖鎖、糖若しくは糖鎖の誘導体、またはこれらを含む分子（糖関連分子）が好ましい。すなわち、当該試料は、糖、糖鎖、および糖または糖鎖の誘導体のうち少なくとも一つを含む分子を備えることが好ましい。糖関連分子は、酸性糖鎖、中性糖鎖、糖脂質、糖タンパク質および糖ペプチド等を含む。糖鎖誘導体を生成する際の誘導体化の方法は特に限定されず、例えば還元末端のピリジルアミノ化等による還元アミノ化を用いることができる。糖関連分子は、ナトリウム塩やカリウム塩等のカチオン塩との親和性が高いため、イオン化の際にこれらのカチオンが優位に付加されたイオンを効率的に生成することができる。
【００２６】
試料が遊離糖鎖を含む場合には、糖タンパク質や糖ペプチド、糖脂質から遊離させた糖鎖を用いることができる。糖鎖を糖タンパク質や糖ペプチド、糖脂質から遊離させる方法としては、Ｎ‐グリコシダーゼやＯ‐グリコシダーゼ、エンドグリコセラミダーゼなどを用いた酵素処理、ヒドラジン分解、アルカリ処理によるβ脱離等の方法を用いることができる。
【００２７】
ステップＳ１００１が終了したら、ステップＳ１００３が開始される。ステップＳ１００３において、ステップＳ１００１で用意された、試料と、マトリックス試薬と、マトリックス添加剤とを混合して質量分析用試料が調製される。上述のステップＳ１００１およびステップＳ１００３は、分析を行う人間や、分注装置により行われる。
【００２８】
質量分析用試料の調製方法では、後述の質量分析用キットを用いて調製することが好ましいが、特に限定されない。分析対象の試料が組織切片の場合は、この組織切片に対し、液体マトリックスおよびマトリックス添加剤を含む混合液を滴下したり、液体マトリックスを含む液体およびマトリックス添加剤を含む液体を任意の順序で順次滴下してもよい。あるいは、分析対象の試料が溶媒中に存在し、当該試料と、液体マトリックスを含む液体と、マトリックス添加剤を含む液体とを任意の順序で混合してもよい。この混合をウェルプレート等の任意の容器で行ってから、得られた混合液をＭＡＬＤＩ用試料プレートの試料配置部位に滴下してもよいし、ＭＡＬＤＩ試料プレート上で混合を行ってもよい。
【００２９】
試料プレートの試料配置部位に、試料と、液体マトリックスと、マトリックス添加剤とを含む混合液の液滴が形成されたら、混合液の溶媒を除去し混合液を濃縮する操作が行われる。混合液を濃縮する方法は特に限定されず、例えば溶媒を大気圧またはそれより低い圧力の下で蒸発させることで濃縮を行うことができる。後に図２（Ｂ）に関して詳述するように、試料プレート上の混合液を濃縮する際に液滴が分布する面積が縮小するように混合液の濃縮を行うことが好ましい。これにより、質量分析用試料中の試料成分の濃度を上げ、質量分析の感度を高めることができる。混合液が濃縮され、試料−液体マトリックス−マトリックス添加剤の混合物が得られたら、当該混合物を質量分析用試料として、その調製を終了する。
【００３０】
ステップＳ１００３が終了したら、ステップＳ１００５が開始される。ステップＳ１００５において、質量分析計により、調製された質量分析用試料にレーザー光が照射され、試料成分のイオン化が行われる。
【００３１】
ステップＳ１００５で調製された質量分析用試料を、ＭＡＬＤＩ法によりイオン化し、正イオンモードで検出することができれば、用いる質量分析計の種類や分析条件等は特に限定されない。
【００３２】
例えば、質量分析用試料に照射するレーザー光は紫外〜可視〜赤外領域に対応する波長を有するレーザー光とすることができ、汎用的にはＮ２レーザ（波長３３７ｎｍ）等を適宜用いることができる。質量分析計は、マトリックス支援レーザー脱離イオン化質量分析計（ＭＡＬＤＩ−ＭＳ）を用いることができる。質量分析計はシングル四重極質量分析計や飛行時間型質量分析計の他、タンデム質量分析計を用いることができる。例えば、質量分析計は、イオントラップ型質量分析計、三連四重極型質量分析計、四重極−飛行時間型質量分析計、イオントラップ−飛行時間型質量分析計、四重極−イオントラップ型質量分析計、四重極−フーリエ変換型質量分析計、イオントラップ−フーリエ変換型質量分析計、四重極−オービトラップ型質量分析計、イオントラップ−オービトラップ型質量分析計、飛行時間−飛行時間型質量分析計等を用いることができる。質量分析計は、イオントラップを含む飛行時間型質量分析計が、糖鎖や糖ペプチド等の数千Ｄａ以上の高質量の分子を詳細に解析する上で好ましい。
【００３３】
ステップＳ１００５が終了したら、ステップＳ１００７が開始される。ステップＳ１００７において、イオン化により生じたイオンまたは当該イオンを解離したイオンが質量分析計により質量分離されて検出される。
【００３４】
分析対象の試料を詳細に分析するために、質量分析計としてタンデム質量分析計を用いてイオン化された試料を解離し、得られたフラグメントイオンを質量分離して検出することが好ましい。解離の方法は特に限定されず、ポストソース分解、低エネルギー衝突誘起解離および高エネルギー衝突誘起解離等の衝突誘起解離、赤外多光子解離、光誘起解離、ならびにラジカルを用いた解離法等を適宜用いることができる。解離はイオントラップや衝突セル等において行われる。解離を行う場合、質量分析計が、イオン化された試料成分をプリカーサーイオンとして質量分離し、質量分離されたプリカーサーイオンを解離反応に供し、解離反応により得られたフラグメントイオンをプロダクトイオンとして質量分離して検出することが好ましい。
【００３５】
ステップＳ１００７が終了したら、ステップＳ１００９が開始される。ステップＳ１００９において、ステップＳ１００７における検出で得られた測定データが解析される。質量分析計や質量分析計で取得された測定データを取得した解析装置により測定データが解析され、マススペクトルが作成されたり、予め取得されたデータに基づいてマススペクトルのピークが同定される。ステップＳ１００９が終了したら、処理が終了される。
【００３６】
（質量分析用キット）
本実施形態の分析方法に好適に用いられる質量分析用キットが提供される。
【００３７】
図２（Ａ）は、本実施形態の質量分析用キットを示す概念図である。質量分析用キット１００は、マトリックス添加剤１０と、マトリックス添加剤１０が格納された容器（以下、添加剤用容器１１と呼ぶ）と、マトリックス試薬２０と、マトリックス試薬２０が格納された容器（以下、マトリックス用容器２１と呼ぶ）と、試料プレート３０とを備える。試料プレート３０は、試料配置部位３１を備える。
なお、質量分析用キット１００は、マトリックス添加剤１０やマトリックス試薬２０に加える溶媒等の、質量分析で用いられるその他の物品を含んでもよい。また、質量分析用キット１００は、マトリックス添加剤１０を備えれば、マトリックス試薬２０や試料プレート３０を備えなくともよい。また、添加剤用容器１１とマトリックス用容器２１の形状は特に限定されない。
【００３８】
質量分析用キット１００のマトリックス添加剤１０は、上述のステップＳ１００１で説明された、１以上のハロゲン原子を含むカルボン酸またはその塩を備え、液体マトリックスに添加するためのマトリックス添加剤である。マトリックス添加剤１０に含まれるカルボン酸またはその塩は、製造の容易さ等の観点から、フッ素原子を含むものが好ましい。マトリックス添加剤１０に含まれるカルボン酸は、ＴＦＡが好ましい。ＴＦＡをマトリックス添加剤として含む質量分析用キット１００を用いて質量分析用試料を調製し、質量分析を行うと、感度の低下や夾雑物による悪影響が抑制された測定データを得ることができる。
【００３９】
マトリックス添加剤１０に含まれるカルボン酸の塩は、製造の容易さ等の観点から、ナトリウム塩またはカリウム塩のいずれかが好ましい。さらに、これらの塩は、糖鎖や糖鎖誘導体等の糖関連分子に対して親和性が高い。従って、試料が糖関連分子である場合に、上記カルボン酸のナトリウム塩やカリウム塩をマトリックス添加剤として含む質量分析用キット１００を用いて質量分析用試料を調製し、質量分析を行うと、これらのイオンが優位に付加されたイオンを特に生成しやすいので好適である。
【００４０】
マトリックス添加剤１０に含まれるカルボン酸の塩は、ＮａＴＦＡがより好ましい。ＮａＴＦＡをマトリックス添加剤として含む質量分析用キット１００を用いて質量分析用試料を調製すると、ナトリウムが優位に付加したイオンが得られ、さらに感度の低下や夾雑物による悪影響が抑制された測定データを得ることができる。
【００４１】
マトリックス試薬２０は、上述のステップＳ１００１において説明された液体マトリックスを構成するアミンおよび有機物質の少なくとも一つを含むことが好ましい。これにより、質量分析用試料の調製に必要なマトリックス添加剤と液体マトリックスを構成する物質とを簡便に調達することができる。マトリックス試薬２０を含む質量分析キット１００の製造方法では、液体マトリックスを構成するアミンおよび有機物質の両方を含む場合、当該アミンおよび有機物質が混合され乾固された状態または液体の状態としてマトリックス用容器２１に配置されることができる。
【００４２】
試料プレート３０は、ＭＡＬＤＩ用の試料プレートであれば特に限定されない。試料プレート３０は、ステンレス鋼等の導電性を有する物質を主材料として備え、適宜化学的または物理的に表面処理がなされたものである。試料プレート３０は、９６個や３８４個等の所定の個数の試料配置部位３１を含む。試料プレート３０の試料配置部位３１が形成された表面は、表面粗さが小さいものが好ましく、鏡面仕上げであることが特に好ましい。これにより、均一に、濃縮された質量分析用試料を形成することができる。
【００４３】
図２（Ｂ）は、試料プレート３０の試料配置部位３１を模式的に示す上面図である。好適な例では、試料プレート３０の試料配置部位３１は、疎水性表面３２と、親水性表面３３とを備える。疎水性表面３２は、親水性表面３３を取り囲むように形成されている。これにより、疎水性表面３２と親水性表面３３とを合わせた範囲に滴下された、試料と、液体マトリックスと、マトリックス添加剤とを含む混合液は、溶媒が除去される際、疎水性表面３２よりも親水性表面３３の方に残りやすくなる。従って、混合液は親水性表面３３の部分に濃縮され、再現性良く目的の範囲に混合液が残り、均一で濃縮された質量分析用試料を得ることができる。
なお、試料プレート３０の表面の親水性を特に変化させず、試料配置部位３１に形成された円形の溝等により目的の範囲に混合液を残すようにしてもよい。
【００４４】
マトリックス添加剤１０は、糖関連分子を含む質量分析用試料の調製に用いると、感度の低下や夾雑物による悪影響が抑制された測定データを得ることができるため、糖鎖類分析用マトリックス添加剤として好適に用いることができる。
【００４５】
質量分析用キット１００は、糖関連分子を含む質量分析用試料の調製に用いると、感度の低下や夾雑物による悪影響が抑制された測定データを得ることができるため、糖鎖類質量分析用キットとして好適に用いることができる。
【００４６】
本発明は上記実施形態の内容に限定されるものではない。本発明の技術的思想の範囲内で考えられるその他の態様も本発明の範囲内に含まれる。
【実施例】
【００４７】
以下に、実施例を示すが、本発明は下記の実施例における分析条件等に限定されるものではない。
【００４８】
（実施例１：G3CAマトリックスを用いたマトリックス添加剤の検討）
＜１−１．マトリックス添加剤の種類の検討＞
試料としてピリジルアミノ化されたNA4型糖鎖（タカラバイオ）（モノアイソトピック質量:2448.9）を用い、G3CAマトリックスに対するマトリックス添加剤（以下、単に添加剤と呼ぶ）の検討を行った。G3CAマトリックスは、p-クマル酸10mgを10mg/mLになるように50%アセトニトリル(ACN)に溶解し、1,1,3,3−テトラメチルグアニジンを23.1μＬ加えることにより調製した。MALDI試料プレートは、700um uFocus plate (Hudson Surface Technology) を用いた。それぞれのウェル（試料配置部位）に対して100fmol/μＬの試料溶液0.5μＬ、添加剤であるナトリウム塩（5mM）0.5μＬを滴下し、その後液体マトリックスを含むマトリックス溶液を0.5μＬ滴下し、余剰溶媒を風乾させることで質量分析用試料とした。添加剤については、(a)添加剤なしのコントロールの他、(b)塩化ナトリウム(NaCl)、(c)水酸化ナトリウム(NaOH)、(d)酢酸ナトリウム、(e)NaTFA、(f)リン酸水素二ナトリウム、(g)炭酸水素ナトリウム、(h)クエン酸二水素ナトリウムの各化合物を添加剤としてMALDI試料プレートに滴下した。(e)が実施例であり、その他は比較例である。質量分析は、MALDI−イオントラップ−飛行時間型質量分析計（MALDI-QIT-TOFMS） (AXIMA-Resonance, Shimadzu/Kratos)で行った。
【００４９】
図３は、本実施例の質量分析で得られたマススペクトルである。上段から順に、上記(a)から(h)までの各条件に対応するマススペクトルを示した。図３の右側には、点線で囲まれたNA4型糖鎖に対応するピークを拡大して示した（矢印Ａ１）。各ピークに対応して示されているｍ／ｚの値は、当該ピークに対応するイオンのモノアイソトピック質量を示す（図４〜６も同様）。ナトリウム塩を添加していないG3CAを用いて質量分析試料を調製した場合、NA4型糖鎖に対応するナトリウム付加分子に加えてプロトン付加分子やカリウム付加分子、2ナトリウム付加分子等が観測された。添加剤として固体マトリックスに対して一般的に用いられるNaClをG3CAに加えた場合、NA4型糖鎖に対応するイオン種をナトリウム付加分子のみに収束させることができたが、低m/z領域に夾雑ピークが見られ、全体的な感度は低下した。一方でNaTFAの場合は、低m/z領域に夾雑ピークを生じることなく、NA4型糖鎖に対応するイオン種をナトリウム付加分子のみに収束することができた。他のナトリウム塩を添加した場合でも、NA4型糖鎖に対応するイオン種はナトリウム付加分子のみに収束できたが、低m/z領域に著しいクラスター状のピークが観測され、実用性を欠いた。リン酸ナトリウムおよびクエン酸ナトリウムを用いた場合は、ウェルに滴下したNA4型糖鎖 50fmolの検出が困難であった。
【００５０】
＜１−２．試料の検出限界の検討＞
添加剤としてNaTFA(5mM)およびNaCl(5mM)を用い、各ウェルに試料として加えるNA4型糖鎖の量を変化させた他は、１−１と同様の条件で質量分析を行い、NA4型糖鎖の検出限界の比較を行った。NaTFAについては、各ウェルに10fmol, 5fmol, 2.5fmol, 1.3fmol, 0.7fmolおよび0.3fmolのNA4型糖鎖を加えて質量分析を行った(本実施例)。NaClについては、各ウェルに10fmol, 5fmol, 2.5fmolおよび1.3fmolのNA4型糖鎖を加えて質量分析を行った。(比較例)
【００５１】
図４（Ａ）は、NaTFAと、上記各量のNA4型糖鎖とを含む、各ウェルに配置された質量分析用試料を質量分析して得られたマススペクトルである（実施例）。図４（Ｂ）は、NaClと、上記各量のNA4型糖鎖を含む、各ウェルに配置された質量分析用試料を質量分析して得られたマススペクトルである（比較例）。NaTFAの場合はNA4型糖鎖0.3fmolが検出限界であったが、NaClの場合はNA4型糖鎖2.5fmolの検出が難しかった。したがって、NaClと比べてNaTFAでは約一桁、検出限界が改善した。
【００５２】
（実施例２：GTHAPマトリックスを用いた添加剤の検討）
糖鎖の質量分析の際に用いられる他の液体マトリックス（GTHAP）でも効果を確めた。GTHAPの調製では、2,4,6−トリヒドロキシアセトフェノン(2,4,6-Trihydroxyacetophenone) 10mgを50%ACN 1mLに溶解して10mg/mLとし、1,1,3,3−テトラメチルグアニジンを6.8μＬ加えてGTHAP液体マトリックス溶液とした。(a)ナトリウム塩を添加していないGTHAPとNA4型糖鎖 50fmolとを含む質量分析用試料、(b) NaCl(5mM)を添加剤として加えたGTHAPとNA4型糖鎖 50fmolとを含む質量分析用試料および、(c) NaTFA(5mM)を添加剤として加えたGTHAPとNA4型糖鎖 50fmolとを含む質量分析用試料を調製し、上記１−１と同様の方法で質量分析を行った。
【００５３】
図５は、本実施例の各質量分析用試料を質量分析することにより得られたマススペクトルである。図５の右側には、点線で囲まれたNA4型糖鎖に対応するピークを拡大して示した（矢印Ａ２）。ナトリウム塩を添加していない質量分析用試料を質量分析すると、NA4型糖鎖に対応するナトリウム付加分子に加えてプロトン付加分子およびカリウム付加分子が観測された(a:比較例)。NaClを添加剤として加えた質量分析用試料ではナトリウム付加分子のみに収束させることができたが、感度が著しく低下し、低m/z領域に夾雑ピークが観測された(b:比較例)。NaTFAを添加剤として加えた質量分析用試料では、このような夾雑ピークが生じることなく、また感度を損なうことなくナトリウム付加分子のみにイオン種を収束させることができた(c:本実施例)。
【００５４】
（実施例３：3AQ/CAマトリックスを用いた添加剤の検討）
糖鎖の質量分析の際に用いられる他の液体マトリックス（3AQ/CA）でも効果を確かめた。p-クマル酸を100mM, 3-アミノキノリンを900mMの濃度で含む50%ACN溶液を調製し、この溶液をさらに50%ACNで1/5に希釈した溶液を3AQ/CA液体マトリックス溶液とした。(a)ナトリウム塩を添加していない3AQ/CAとNA4型糖鎖 500fmolとを含む質量分析用試料および、(b) NaTFA(5mM)を添加剤として加えた3AQ/CAとNA4型糖鎖500fmolとを含む質量分析用試料を調製し、質量分析を行った。
【００５５】
図６は、本実施例の各質量分析用試料を質量分析することにより得られたマススペクトルである。図６の右側には、点線で囲まれたNA4型糖鎖に対応するピークを拡大して示した（矢印Ａ３）。ナトリウム塩を添加していない質量分析用試料を質量分析すると、NA4型糖鎖に対応するナトリウム付加分子に加えてプロトン付加分子とカリウム付加分子、その他多くのカチオン付加分子が観測された(a:比較例)。NaTFAを加えた質量分析用試料では、ナトリウム付加分子のみに観測されるイオン種を収束させることができた。また、低m/z領域に観測されていたクラスター状のピークも抑制することができた(b:本実施例)。
【符号の説明】
【００５６】
１０…マトリックス添加剤、１１…添加剤用容器、２０…マトリックス試薬、２１…マトリックス用容器、３０…試料プレート、３１…試料配置部位、３２…疎水性表面、３３…親水性表面、１００…質量分析用キット。
【図１】
2019211441.tif 000003
【図２】
2019211441.tif 000004
【図３】
2019211441.tif 000005
【図４】
2019211441.tif 000006
【図５】
2019211441.tif 000007
【図６】
2019211441.tif 000008
【手続補正書】
【提出日】平成30年6月8日(2018.6.8)
【手続補正１】
【補正対象書類名】図面
【補正対象項目名】図６
【補正方法】変更
【補正の内容】
【図６】
2019211441.tif 000009